(57)【要約】      （修正有）【課題】係止部と被係止部との係止が解けたり、係止部材や被係止部が破損するのを防ぐことができるコネクタ装着構造を提供する。【解決手段】雌コネクタ１と雄コネクタ４とは、雌コネクタ１が備えるロックアーム１５の係止孔１５ａで、雄コネクタ４が備えるロック部４３を係止して、互いが装着される。ロック部４３の形成された雄コネクタ４の右面には、保護壁４４が設けられている。保護壁４４は、係止孔１５ａをロック部４３に係止されたロックアーム１５の先端部１５１を囲むように、雄コネクタ４の右側面に延びている。保護壁４４の指当部４４２は、ロック部４３に対する係止孔１５ａの係止を解くためにロックアーム１５を撓ませるのに十分な間隙をロックアーム１５との間に設けて、ロック部４３に係止したロックアーム１５の先端部１５１を右側から覆っている。【選択図】図４
2010061910.tif 000002
【特許請求の範囲】
【請求項１】
一方のコネクタが備える係止部材の係止部で、他方のコネクタが備える被係止部を係止して、両コネクタ同士を装着するコネクタ装着構造であって、
前記係止部を前記被係止部に係止された前記係止部材の先端部を囲むように、前記被係止部の形成面に延びた保護壁部を備えたことを特徴とするコネクタ装着構造。
【請求項２】
前記保護壁部は、前記被係止部に対する前記係止部の係止を解くために前記係止部材を撓ませるのに十分な間隙を前記係止部材との間に設けて、前記係止部を前記被係止部に係止した前記係止部材の先端部を、前記係止部の係止を解く際に前記係止部材が撓む側から覆っていることを特徴とする請求項１に記載のコネクタ装着構造。
【請求項３】
前記保護壁部は、前記係止部を前記被係止部に係止した前記係止部材の先端部を、前記保護壁部の外側に臨ませる貫通孔を備えていることを特徴とする請求項１又は２に記載のコネクタ装着構造。
【発明の詳細な説明】
【技術分野】
【０００１】
本発明は、一方のコネクタが備える係止部材の係止部で、他方のコネクタが備える被係止部を係止して、両コネクタ同士を装着するコネクタ装着構造に関する。
【背景技術】
【０００２】
下記の特許文献１には、防水ジョイントコネクタが開示されている。このコネクタは、ハウジングの後端部にシール部材を介してシールホルダを組み付け、シールホルダの端子挿入孔からハウジングのキャビティに端子金具を挿入する。そして、ハウジングの前端側からバスバー体を端子挿入孔に挿入して端子金具を短絡させた後、バスバー体及びハウジングにバスバー体側からキャップを被せるように組み付けて構成される。シールホルダの側面にはロック突起が形成されており、このロック突起にキャップのロック孔が係合することで、キャップが組付状態でロックされる。
【０００３】
【特許文献１】特開２０００−２９９１６１号公報
【発明の開示】
【発明が解決しようとする課題】
【０００４】
上記防水ジョイントコネクタでは、治具を用いる等してロック突起とロック孔との係合を解くことができるが、ロック孔を備えたキャップの側壁とロック突起を備えたシールホルダの外面との間や、ロック突起とロック孔との係合箇所に入り込んだ異物に外力が加わる等して、ロック突起とロック孔との係合が解けたり、破損が生じる等する虞があった。
【０００５】
本発明は斯かる課題に鑑みてなされたもので、上記課題を解決できるコネクタ装着構造を提供することを目的とする。
【課題を解決するための手段】
【０００６】
このような目的を達成するために、本発明のコネクタ装着構造は、一方のコネクタが備える係止部材の係止部で、他方のコネクタが備える被係止部を係止して、両コネクタ同士を装着するコネクタ装着構造であって、前記係止部を前記被係止部に係止された前記係止部材の先端部を囲むように、前記被係止部材の形成面に延びた保護壁部を備えたことを特徴とする。
また、本発明は、前記保護壁部が、前記被係止部に対する前記係止部の係止を解くために前記係止部材を撓ませるのに十分な間隙を前記係止部材との間に設けて、前記係止部を前記被係止部に係止した前記係止部材の先端部を、前記係止部の係止を解く際に前記係止部材が撓む側から覆っていることを特徴とする。
また、本発明は、前記保護壁部が、前記係止部を前記被係止部に係止した前記係止部材の先端部を、前記保護壁部の外側に臨ませる貫通孔を備えていることを特徴とする。
【発明の効果】
【０００７】
本発明によれば、係止部材の形成面や被係止部と、係止部材との間に異物が進入するのを保護壁部で防ぎ、係止部と被係止部との係止が解けたり、係止部材や被係止部が破損するのを防ぐことができる。
【発明を実施するための最良の形態】
【０００８】
以下、図面を参照して、本発明の最良の形態を説明する。
図１は本実施形態のコネクタ装置の構成の概略を示す前方からの分解斜視図である。図２はコネクタ装置が備える雄コネクタ４の構成の概略を示す後方からの斜視図である。なお、以下の説明で用いる上下，前後，及び左右の各方向は説明に用いる各図に示している。この上下，前後，及び左右は説明のために記載したもので、実際の配置と異なってよいことはもちろんである。
【０００９】
図１に示すように、コネクタ装置は、バスバー端子３を備えた雄コネクタ４を、シール部材２を介して雌コネクタ１に装着して構成されている。雌コネクタ１は、端子キャビティ１３を備えて略四角ブロック状を呈した本体１１と、本体１１の前後方向の中央部から端子キャビティ１３の上下及び左右の周囲を囲むようにして略四角筒状を呈して前方に延びたフード部１２と、フード部１２の右側面の前縁から後方に延びた一対のスリット１４と、両スリット１４間に形成されたロックアーム１５とを備えている。
【００１０】
各スリット１４は、フード部１２の右側面の上縁部及び下縁部に沿って互いに平行に延びており、フード部１２の右側壁を左右方向に貫通している。ロックアーム１５は、両スリット１４間に位置するフード部１２の右側壁に、フード部１２の右側壁の後縁から前方に延びるスリット状の係止孔１５ａを設けて構成されている。係止孔１５ａは、両スリット１４の上下方向の中間部に位置して、両スリット１４と平行にロックアーム１５の先端部１５１まで延びて、フード部１２の右側壁を左右方向に貫通している。シール部材２は、雌コネクタ１が備える端子キャビティ１３の外径とほぼ等しい内径を有した略四角環状を呈しており、フード部１２と端子キャビティ１３との間隙から構成される収容溝１６に収容されて端子キャビティ１３に外嵌される。
【００１１】
図１及び図２に示すように、雄コネクタ４は、バスバー端子３を装着される被着部４１ａを後端側に備えた略四角ブロック状の本体４１と、本体４１の前端部から本体４１の上下及び左右の周囲を囲むように後方に延び、略四角筒状を呈したフード部４２と、フード部４２の右側面の中央部に突設されたロック部４３と、ロック部４３との間に間隙を設けてフード部４２の右側面にロック部４３の周囲を囲むように突設された保護壁４４とを備えている。ロック部４３は、略四角ブロック状を呈しており、後端面がフード部４２の左側から右側にかけて前方に向けて傾斜している。
【００１２】
保護壁４４は、フード部４２の右側面の上縁及び下縁に沿って前後方向に延びる一対の側板４４１と、両側板４４１の前端部間に掛け渡されてフード部４２の右側面に上下方向に延びる指当部４４２とを備えている。側板４４１は、右端部の前縁が右側にかけて後方に向けて傾斜している。側板４４１の右端部間に位置する指当部４４２の右端部は、側板４４１の右端部の傾斜に沿って後方に屈曲し、フード部４２の右側面を右方から覆っている。指当部４４２の上下方向の中央部には、フード部４２の右側面から右方に延びた略矩形の貫通孔４４２ａが設けられている。
【００１３】
図３は、雄コネクタ４と雌コネクタ１とが装着された状態を示す前方からの斜視図である。図４は、雄コネクタ４と雌コネクタ１とが装着された状態を示す図であり、（ａ）は右側面図，（ｂ）は正面図，（ｃ）は（ｂ）のＡ−Ａ線断面図である。図５は、図４（ｃ）の枠Ｂ内の拡大図である。
【００１４】
被着部４１ａにバスバー端子３を取り付けられた雄コネクタ４は、端子キャビティ１３にシール部材２を外嵌された雌コネクタ１の挿入溝１６にフード部４２を挿入することで、図３に示すように雌コネクタ１に装着される。雌コネクタ１と雄コネクタ４とが装着されると、端子キャビティ１３内の端子とバスバー端子３とが接続される。図４に示すように、雌コネクタ１に装着された雄コネクタ４は、ロックアーム１５の前端部を保護壁４４に収容して、ロック部４３をロックアーム１５の係止孔１５ａ内に位置させている。
【００１５】
保護壁４４は、雌コネクタ１の上下のスリット１４内に上下の側板４４１を進入させ、ロックアーム１５の先端部１５１の上下の両側に側板４４１を、前側に指当部４４２を位置させて、ロックアーム１５の先端部１５１を囲っている。また、指当部４４２の貫通孔４４２ａからは、ロックアーム１５の先端部１５１が保護壁４４の外側を臨んでいる。また、図示しないが、雌コネクタ１の端子キャビティ１３と雄コネクタ４のフード部４２との間にシール部材２が介装されて、雌コネクタ１と雄コネクタ４との間がシールされている。
【００１６】
図５に拡大して示すように、指当部４４２の右端部は、ロック部４３に対する係止孔１５ａの係止を解くためにロックアーム１５を撓ませるのに十分な間隙をロックアーム１５との間に設けてロックアーム１５の先端部１５１の右方を覆っている。図に示す例では、ロックアーム１５の先端から後方に距離Ｌの位置までを、指当部４４２の右端部が覆っている。
【００１７】
本実施形態によれば、係止孔１５ａをロック部４３に係止されたロックアーム１５の先端部１５１を囲むように、ロック部４３の形成面に保護壁４４が延びていることから、ロックアーム１５の形成面とロックアーム１５との間に異物が進入するのを保護壁４４で防ぎ、係止孔１５ａとロック部４３との係止が解けたり、ロックアーム１５やロック部４３が破損するのを防ぐことができる。
【００１８】
また、保護壁４４の指当部４４２が、ロック部４３に対する係止孔１５ａの係止を解くためにロックアーム１５を撓ませるのに十分な間隙をロックアーム１５との間に設けて、係止孔１５ａをロック部４３に係止したロックアーム１５の先端部１５１を、係止孔１５ａの係止を解く際にロックアーム１５が撓む右側から覆っていることから、ロック部４３とロックアーム１５の先端部１５１との間に異物が進入するのを防ぎ、係止孔１５ａとロック部４３との係止が解けたり、ロックアーム１５やロック部４３が破損するのを、より効果的に防ぐことができる。
【００１９】
また、係止孔１５ａをロック部４３に係止したロックアーム１５の先端部１５１を、保護壁４４の外側に臨ませる貫通孔４４２ａが保護壁４４に設けられていることから、係止孔１５ａとロック部４３との係止を解くための治具を、貫通孔４４２ａから保護壁４４の内側に進入させることができる。このため、係止孔１５ａとロック部４３との係止を容易に解除することができる。
【００２０】
また、側板４４１と共にロックアーム１５の先端部１５１を囲う箇所を指当部４４２とすることで、指当部を別途設置する必要がなくなり、雄コネクタ４の小型化を図ることができる。
【００２１】
上記実施形態では、指当部４４２の右端部が、ロックアーム１５の先端部１５１の右方を覆っている場合について説明した。しかしながら、ロックアーム１５の先端部１５１の右方を、指当部４４２が覆う必要は必ずしもない。また、ロックアーム１５の先端部１５１を保護壁４４の外側に臨ませる貫通孔は、必ずしも指当部４４２に設ける必要はなく、側板４４１に設けてもよい。
【００２２】
また、ロック部４３及び保護壁４４は、雄コネクタ４の右側面だけでなく左側面にも設けてもよい。また、指当部４４２は、両側板４４１の前端部間に掛け渡されている必要はなく、両側板４４１の前端部から後端部にかけてに掛け渡されていてもよい。
【００２３】
また、上記実施形態では、ロックアーム１５の係止孔１５ａから係止部が構成されている場合について説明したが、係止部は凹部でも突起でもよい。また、被係止部が孔又は凹部で、係止部が突起であってもよい。
【図面の簡単な説明】
【００２４】
【図１】本発明の一実施形態のコネクタ装置の構成の概略を示す前方からの斜視図である。
【図２】図１に示すコネクタ装置が備える雄コネクタの構成の概略を示す後方からの斜視図である。
【図３】雄コネクタと雌コネクタとが装着された状態を示す前方からの斜視図である。
【図４】雄コネクタと雌コネクタとが装着された状態を示す図であり、（ａ）は右側面図，（ｂ）は正面図，（ｃ）は（ｂ）のＡ−Ａ線断面図である。
【図５】図４（ｃ）の枠Ｂ内の拡大図である。
【符号の説明】
【００２５】
１  雌コネクタ
１１  本体
１２  フード部
１３  端子キャビティ
１４  スリット
１５  ロックアーム
１５ａ  係止孔
１６  収容溝
２  シール部材
３  バスバー端子
４  雄コネクタ
４１  本体
４４１  側板
４２  フード部
４４２  指当部
４４２ａ  貫通孔
４３  ロック部
４４  保護壁
【図１】
2010061910.tif 000003
【図２】
2010061910.tif 000004
【図３】
2010061910.tif 000005
【図４】
2010061910.tif 000006
【図５】
2010061910.tif 000007